(57)【特許請求の範囲】
【請求項１】
装置を別の装置に結合することを可能にするように構成され、電力供給ピンおよび少なくとも２つの制御ピンを備える電気コネクタと、
前記制御ピンに結合し、前記制御ピンのうちの１つにおいて電圧を検出することに基づいて、前記電気コネクタに結び付いた別のコネクタの向きを決定するように構成された論理回路と、
前記別の装置が、前記電力供給ピンをアクティブでなくするようにさせるために、第１の状態から第２の状態に、前記制御ピンのうちの前記１つを変化させるように構成される保護要素と、を備える装置。
【請求項２】
前記保護要素は、前記少なくとも１つの制御ピンを、前記電気コネクタの温度が、所定の閾値より上であるか、または、等しいときに、前記第１の状態から前記第２の状態に変化させるように構成される、請求項１に記載の装置。
【請求項３】
前記少なくとも１つの制御ピンの前記第１の状態を検出することに応じて、前記電力供給ピンを介して電力を供給することを可能にするように構成される制御回路を更に備え、
該制御回路は、前記少なくとも１つの制御ピンの前記第２の状態を検出することに応じて、前記電力供給ピンを介して、電力を供給することを不能にするように構成される、
請求項１または２に記載の装置。
【請求項４】
前記電気コネクタは、ユニバーサル・シリアル・バス・コネクタを備える、請求項１ないし３のいずれか１項に記載の装置。
【請求項５】
前記保護要素は、電気スイッチ、トランジスタ、機械スイッチ、非再設定可能ヒューズ、電気的再設定可能ヒューズ、手動再設定可能ヒューズ、および、正または負特性サーミスタのうちの少なくとも１つを備える、請求項１ないし４のいずれか１項に記載の装置。
【請求項６】
前記少なくとも１つの制御ピンは、ユニバーサル・シリアル・バスにしたがう、通信制御ピンを備える、請求項１ないし５のいずれか１項に記載の装置。
【請求項７】
前記保護要素は、前記少なくとも１つの制御ピンと直列に接続される、請求項１ないし６のいずれか１項に記載の装置。
【請求項８】
前記電気コネクタは、ＶＢＵＳスイッチを介してＶＢＵＳに結合する、請求項１に記載の装置。
【請求項９】
前記保護要素は、前記少なくとも１つの制御ピンを、湿度の所定値、力、加速度、および、処理負荷、のうちの少なくとも１つを検出することに応じて、前記第１の状態から前記第２の状態に変化させるように更に構成される、請求項１に記載の装置。
【請求項１０】
電気コネクタと論理回路と保護要素とを備える装置において、前記電気コネクタに含まれる少なくとも２つの制御ピンのうちの１つにおいて電圧を検出することに基づいて、前記電気コネクタに結び付いた別のコネクタの向きを、前記制御ピンに結合した前記論理回路が決定するステップであって、前記電気コネクタは、前記装置を別の装置に結合することを可能にするように構成される、ステップと、
前記保護要素によって、前記少なくとも２つの制御ピンのうちの前記１つを、前記別の装置が、電力供給ピンをアクティブでなくするようにさせるために、第１の状態から第２の状態に変化させるステップと、
を含む方法であって、
前記電気コネクタが、前記電力供給ピンおよび前記少なくとも２つの制御ピンを含む、方法。
【請求項１１】
前記少なくとも１つの制御ピンの前記第１の状態を検出することに応じて、前記電力供給ピンを介して、電力が供給されることを、制御回路が可能にするステップと、
前記少なくとも１つの制御ピンの前記第２の状態を検出することに応じて、前記電力供給ピンを介して、電力が供給されることを、前記制御回路が不能にするステップと、を更に含み、
前記保護要素は、前記少なくとも１つの制御ピンを、前記電気コネクタの温度が、所定の閾値より上であるか、または、等しいときに、前記第１の状態から前記第２の状態に変化させるように構成される、請求項１０に記載の方法。
【請求項１２】
前記電気コネクタは、ユニバーサル・シリアル・バス・コネクタを備え、
前記少なくとも１つの制御ピンは、ユニバーサル・シリアル・バスにしたがう、通信制御ピンを備える、
請求項１０または１１に記載の方法。
【請求項１３】
前記保護要素は、電気スイッチ、トランジスタ、機械スイッチ、非再設定可能ヒューズ、電気的再設定可能ヒューズ、手動再設定可能ヒューズ、および、正または負特性サーミスタのうちの少なくとも１つを備える、請求項１０ないし１２のいずれか１項に記載の方法。
【請求項１４】
前記保護要素は、前記少なくとも１つの制御ピンと直列に接続される、請求項１０ないし１３のいずれか１項に記載の方法。
【請求項１５】
前記保護要素は、前記少なくとも１つの制御ピンを、湿度の所定値、力、加速度、および、処理負荷、のうちの少なくとも１つを検出することに応じて、前記第１の状態から前記第２の状態に変化させるように更に構成される、請求項１０に記載の方法。
【請求項１６】
電気コネクタと論理回路と保護要素とを備える装置において、
該装置は、
前記電気コネクタに含まれる少なくとも２つの制御ピンのうちの１つにおいて電圧を検出することに基づいて、前記電気コネクタに結び付いた別のコネクタの向きを、前記制御ピンに結合した前記論理回路が決定する手段であって、前記電気コネクタは、前記装置を別の装置に結合することを可能にするように構成される、手段と、
保護要素によって、前記少なくとも２つの制御ピンのうちの前記１つを、前記別の装置が、電力供給ピンをアクティブでなくするようにさせるために、第１の状態から第２の状態に変化させる手段と、
を備え、
前記電気コネクタが、前記電力供給ピンおよび前記少なくとも２つの制御ピンを含む、装置。
【請求項１７】
電気コネクタと論理回路と保護要素とを備える装置のためのコンピュータ・プログラムであって、
該コンピュータ・プログラムは、少なくとも１つのプロセッサで実行されるとき、
前記電気コネクタに含まれる少なくとも２つの制御ピンのうちの１つにおいて電圧を検出することに基づいて、前記電気コネクタに結び付いた別のコネクタの向きを、前記制御ピンに結合した前記論理回路が決定するステップであって、
前記電気コネクタは、前記装置を別の装置に結合することを可能にするように構成される、ステップと、
前記保護要素によって、前記少なくとも２つの制御ピンのうちの前記１つを、前記別の装置が、電力供給ピンをアクティブでなくするようにさせるために、第１の状態から第２の状態に変化させるステップと、
を実行する命令を符号化したものであり、
前記電気コネクタが、前記電力供給ピンおよび前記少なくとも１つの２つの制御ピンを備える、
コンピュータ・プログラム。
【発明の詳細な説明】
【技術分野】
【０００１】
ここに記述される本願発明は、ケーブルやコネクタを過熱から保護することに関する。
【背景技術】
【０００２】
現代の電子デバイスの多くは、電子デバイスにおいてコネクタと結合する各端点の上にコネクタを有するケーブルを介して他の電子デバイスに接続する。たとえば、多くの電子デバイスは、ケーブルを通して充電デバイスから充電することができるバッテリを含む。電子デバイスは、多種多様な携帯電話、携帯コンピューティング・デバイス、ラップトップ、その他のモバイル・デバイスを含む消費者向けおよび産業向け製品を含む。また、モバイル・デバイスで利用できる特徴と能力が向上してきたので、これらのデバイスの電源消費は、より高い容量のバッテリの必要性が増すこととなった。増加した消費電力およびバッテリ容量は、過熱の可能性につながった。これは、デバイスの損傷、あるいは、ユーザへの危害ということになり得る。たとえば、過熱した携帯移動電話は、電話器を損傷または破壊することがあり得、および／または、ユーザの手または顔を怪我させることがあり得る。
【発明の概要】
【０００３】
１つの態様において、装置が提供される。この装置は、電力供給ピンを含む電気コネクタと、少なくとも１つの制御ピンとを含むことができる。この装置は、該少なくとも１つの制御ピンを、該電力供給ピンをアクティブでなくなるようにさせるために、第１の状態から第２の状態に変化させるように構成される保護要素を更に含むことができる。前記保護要素は、電気コネクタと一体化されることができる、および／または、ケーブルに沿って１つ以上の位置で一体化されることができる。
【０００４】
いくつかのバリエーションにおいて、以下の特徴を含むここに開示された特徴の１つ以上を、任意の可能な組合せにおいて、任意選択的に含むことができる。前記電気コネクタは、ユーザ装置に含まれることができる、および／または、充電源に結合することができる。前記電気コネクタは、ユニバーサル・シリアル・バス・コネクタを備えることができる。この保護要素は、前記電気コネクタの温度が、所定の閾値より上であるか、または、等しいときに、前記少なくとも１つの制御ピンの状態を変化させるように構成されることができる。この保護要素は、電気スイッチ、トランジスタ、機械スイッチ、非再設定可能ヒューズ、電気的再設定可能ヒューズ、手動再設定可能ヒューズ、および／または、正または負特性サーミスタを含むことができる。この保護要素は、温度の所定値、湿度の所定値、力、加速度、および、処理負荷、のうちの少なくとも１つを検出することに応じて、前記少なくとも１つの制御ピンの状態を変化させるように構成することができる。前記少なくとも１つの制御ピンは、ユニバーサル・シリアル・バスにしたがって通信制御ピンを備えることができる。この装置は、前記少なくとも１つの制御ピンの前記第１の状態を検出することに応じて、前記電力供給ピンを介して電力を供給することを可能にするように構成される制御回路を更に含むことができる。ここで、その制御回路は、更に、少なくとも１つの制御ピンの第２の状態を検出することに応答して、前記電力供給ピンを介して、電力を供給することを不能にするように構成される。
【０００５】
上記した態様と特徴は、所望の構成に依存して、システム、装置、方法、および／または、コンピュータ読取り可能メディアでインプリメントすることができる。ここに記述される本願発明の１つ以上のバリエーションが、添付の図面、および、以下の詳細な説明において述べられる。ここに記述される本願発明の特徴および優位性は、その記載と図面から、および、特許請求の範囲から明らかである。いくつかの例示的な実施形態において、より多くのバリエーションの１つは、下記の詳細な説明で記載されるだけでなく、以下の特徴において記載したように、作ることができる。
【図面の簡単な説明】
【０００６】
【図１】図１は、いくつかの例示的実施形態にしたがって、熱感知コネクタおよび／または熱感知ケーブルを含むシステムの例を表す。
【図２】図２は、いくつかの例示的実施形態にしたがって、熱感知コネクタおよび熱感知コネクタを含むケーブルを含む別のシステムの例を表す。
【図３】図３は、いくつかの例示的実施形態にしたがって、熱感知ケーブルやコネクタを利用することができるシステムの例を表す。
【図４】図４は、いくつかの例示的実施形態にしたがって、装置やケーブルを熱の損傷から保護するためのプロセスを表す。
【図５】図５は、いくつかの例示的実施形態にしたがって、電池駆動デバイスの例を表す。同様のラベルは、図面の中で同一か同様である項目を指すために用いられる。
【発明を実施するための形態】
【０００７】
現代の電子デバイスの能力は、劇的に増加した。追加された能力は、大容量バッテリと並んで、高速プロセッサ、ディスプレイ、および、インタフェースをサポートするために、追加的な電力を必要とする。さらに、いくつかの大容量バッテリは、急速に充電することができるが、それは、充電源から、充電源の上のコネクタ、ケーブル、そして、電子デバイスにおけるコネクタを通して、バッテリへ運ばれる高電流を必要とする。更にまた、いくつかの大容量バッテリは、急速に放電され得る。これは、バッテリから、電子デバイスのコネクタ、ケーブル、そして、別の電子デバイスにおけるコネクタを通して運ばれる高電流となり得る。これらのコネクタ・インターフェースを通して運ばれる電力が、増加した電圧や電流を提供することによって、増加するので、１つ以上のコネクタにおいて、および／または、ケーブルにおいて過熱するリスクが増加し得る。
【０００８】
いくつかの電子デバイスは、モバイル・デバイスと考えられる。これらの電子デバイスは、たとえば、携帯電話、ポータブル・コンピュータ、ゲーム・デバイス、その他を含む。モバイル・デバイスは、ほこり、湿気、その他を含む汚染物質に露出するものであり得る。コネクタにおいて、いくつかの汚染物質への露出は、電流がコネクタの内部を流れる意図しないパスを与えることがあり得る。伝導性の汚染物質に露出された場合、電流の意図しないパスは、低い抵抗値を持ち得、コネクタにおいて、コネクタ材料を溶解させる熱として十分な電力を消散することを可能とする。これが、そのようであるときには、電流は、コネクタをわたって（たとえば、コネクタにおいて、電力源の正の側から、コネクタにおける、電力源の負側に、そして、実質的には、コネクタに接続され得るケーブルを全く通らずに、）流れることがあり得る。熱感知コネクタは、コネクタにおける１つ以上の電気的接点を、アクティブでなくすことができ、それによって、コネクタにおける継続した熱の増大を減少するか除去する。
【０００９】
さらに、図示するために、汚染物質は、モバイル・デバイスのコネクタと、ケーブルのコネクタとの間の接続を妨害することができる。この汚染物質は、接続において高直列抵抗を引き起こすことができる。モバイル・デバイスへの充電器などのデバイスからケーブルを通して流れる電力で、高汚染物質による高レジスタンス直列抵抗は、コネクタ材料に溶断点に達するほど加熱させるのに、十分に電力を消散させることができる。熱感知コネクタは、コネクタにおける１つ以上の電気的接点をアクティブでなくすことができ、それによって、コネクタにおける継続した熱の増大を減少するか除去する。
【００１０】
モバイル・デバイスおよび充電デバイスなどのデバイスは、熱感知コネクタを有することができない。しかしながら、上述の（同様に他の）過熱問題は、いくつかの例示的実施形態において、熱感知コネクタを含むケーブルで軽くすることができる。そのケーブルが熱感知コネクタを含むとき、たとえ、ケーブルの各先端に取り付けられた電子デバイスは、熱感知コネクタを有しないとしても、ケーブルは熱感知コネクタを含む。ケーブル・コネクタとかみ合うデバイスが、電気的接触を作るために必要であるときに、かなり近傍にあることができるので、電子デバイス・コネクタおよびケーブル・コネクタは、また、熱的に接続することがあり得る。ケーブル・コネクタに係合されるデバイス・コネクタにおいて、温度が上昇するならば、ケーブルにおける熱感知コネクタは、コネクタにおける１つ以上の電気的接触を、アクティブでなくさせることができ、それによって、コネクタの継続した熱の増大を減少するか除去する。
【００１１】
いくつかの例示的実施形態において、モバイル・デバイスにおける熱感知コネクタは、コネクタにおける過熱からモバイル・デバイスを保護することができる。いくつかの例示的実施形態において、充電器などアクセサリー・デバイスにおける熱感知コネクタは、コネクタにおける過熱からアクセサリー・デバイスを保護することができる。いくつかの例示的実施形態において、モバイル・デバイスをアクセサリー・デバイスに相互接続するケーブルに組み入れられる熱感知コネクタは、コネクタにおける過熱から、モバイル・デバイスやアクセサリー・デバイスを保護することができる。いくつかの例示的実施形態において、ケーブルに沿った位置に配置された熱感知コンポーネントは、過熱からケーブルやデバイスを保護することができる。
【００１２】
図１は、いくつかの例示的実施形態にしたがって、熱感知コネクタおよび熱感知ケーブルを含むシステムの例を示す。第１の装置１１０は、熱感知コネクタ１１２を含むことができ、そして、第２の装置１３０は、熱感知コネクタを含むことができる。ケーブル１２０は、第１の装置１１０と第２の装置１３０との間の電気的接続を提供することができる。
【００１３】
第１の装置１１０は、充電デバイス、モバイル・デバイス、コンピュータ、その他いかなるタイプの電子装置でもあり得る。たとえば、装置１１０は、第２の装置１３０など第２の装置へのケーブル１２０などのケーブルを通して電力を供給するように設計された宅内配線の交流（ＡＣ）から直流（ＤＣ）コンバータなどの充電デバイスであることができる。第１の装置１１０は、熱感知コネクタ１１２を含むことができる。熱感知コネクタは、コネクタの内部の所定の温度以上において、コネクタ内で１つ以上のコンタクトの切断を引き起こすことができる。この所定の温度は、コネクタの設計によって選択することができる。その温度は、外部が、コネクタに接触する人を損傷し得る温度に達しないように選択されるのと同様に、コネクタと接続ケーブルとの材料への損傷を防ぐために十分に低く選択することができる。
【００１４】
熱感知コネクタ１１２は、１つ以上の１回型温度ヒューズ（ｏｎｅ−ｔｉｍｅ  ｔｈｅｒｍａｌ  ｆｕｓｅ）、自動あるいは手動回復機能を有するバイメタル熱回路ブレーカ、ＮＴＣ（ｎｅｇａｔｉｖｅ  ｔｅｍｐｅｒａｔｕｒｅ  ｃｏｅｆｆｉｃｉｅｎｔ）温度感知レジスタ、ＰＴＣ（ｐｏｓｉｔｉｖｅ  ｔｅｍｐｅｒａｔｕｒｅ  ｃｏｅｆｆｉｃｉｅｎｔ）再設定可能ヒューズ、電気スイッチ、トランジスタ、機械スイッチ、非再設定可能ヒューズ、電気的再設定可能ヒューズ、手動再設定可能ヒューズ、および／またはＰＴＣサーミスタを、保護要素２１０として含むように設計をすることができる。ＰＴＣ再設定可能なヒューズは、再設定可能ヒューズ、ポリヒューズ、または、ポリスイッチと呼ぶことができる。熱感知コネクタ１１２は、また、感熱プローブ２１０として、１つ以上のダイオードおよびトランジスタを含むことができる。熱感知コネクタ１１２が、所定の値まで、または、それを上回って上がるならば、コネクタは、コネクタ内部の１つ以上の電気的接続の切断を引き起こす。いくつかの例示的実施形態において、熱感知コネクタ１１２は、コネクタ１１２の内部における１つ以上の接続を、温度を落とすように、アクティブでなくさせるために、接続する電子デバイスに信号を送る。たとえば、熱感知コネクタ１１２は、温度が所定の値以上であることを示す装置１１０の標示を提供すること、装置１１０へ信号を送ることができる。装置１１０は、装置１１０におけるトランジスタまたは他のスイッチング・デバイスを介して、コネクタ１１２の中の温度を下げるために、装置１３０から電力源を切断することができる。
【００１５】
第２の装置１３０は、また、第１の装置１１０と同様に、熱感知コネクタ１１２を有することができる。あるいは、装置１１２における熱感知コネクタは、装置１１０において使用される方法とは異なる熱感知方法を利用することができる。装置１３０は、上記のいかなるタイプの電子装置でもあり得る。上の例を続けると、第１の装置１１０は、充電器であることができる。第２の装置１３０は、たとえば、バッテリを含む携帯電話であることができる。第１の装置は、ケーブル１２０のようなケーブルを通して第２の装置１３０におけるバッテリを充電することができる。
【００１６】
いくつかの例示的実施形態において、ケーブル１２０は、熱感知能力を有さない標準的なコネクタを含むことができる。第１の装置１１０や第２の装置１３０における熱感知コネクタは、ケーブルの両端を過熱から保護することができる。いくつかの例示的実施形態において、ケーブル１２０は、熱感知コネクタを含むことができ、そして、第１の装置や第２の装置は、また、熱感知コネクタを含むことができる。このように、第１の装置１１０は、熱感知コネクタを含むことができ、第１の装置１１０に接続しているケーブル１２０は、また、熱感知コネクタ１１２を含むこともできる。第２の装置１３０は、熱感知コネクタを含むことができ、第２の装置１３０に接続しているケーブル１２０は、また、熱感知コネクタ１１２を含むこともできる。いくつかの例示的実施形態において、第１の装置１１０や第２の装置１３０は、熱感知でない標準的なコネクタを含むことができる。この場合において、ケーブル１２０は、少なくとも、１つの、第１の装置１１０や第２の装置１３０を、熱の損傷から保護する熱感知コネクタ１１２を含むことができる。
【００１７】
いくつかの例示的実施形態において、ケーブル１２０は、ケーブルに沿って１つ以上の位置に配置された熱感知構造を有するケーブルにおける熱感知構造を含むことができる。この構成は、ケーブルを通してパスされている過剰電力による過熱からケーブル自体を保護することができる。たとえば、ケーブルが短絡するならば、ケーブルを通してパスされる高電流は、ケーブルにおけるワイヤ・ゲージに応じて、過熱を引き起こす可能性がある。
【００１８】
図２は、いくつかの例示的実施形態にしたがって、熱感知コネクタ、および、熱感知コネクタを備えるケーブルを含むシステムの例を表す。充電能力を有するホスト・ポート１１０Ａは、ケーブル１２０を通して、クライアント・ポート１３０Ａに接続することができる。熱感知コネクタの１つの温度が、所定の温度よりも上がるならば熱感知コネクタは、この電力の流れをストップさせることができる。それによって、装置１１０Ａおよび１３０Ａを、ケーブル１２０と並んで、損傷から保護する（これは、また、装置またはケーブルに接触する何かを損傷から保護する）。
【００１９】
ホスト・ポート１１０Ａは、ホスト・ポート１１０Ａやクライアント・ポート１３０Ａに電力を提供するために、電力接続２２２を含むことができ、たとえば、いくつかの実施形態において、電力接続２２２は、図２において示されるように、ユニバーサル・シリアル・バス、ＶＢＵＳを含むことができる。電力源は、ホスト・ポート１１０Ａに統合化することができる。たとえば、ホスト・ポート１１０Ａは、電力接続２２２に対する電力源を提供するために、ＡＣ・ＤＣ電力コンバータまたはバッテリ（図２に図示せず）を含むことができる。電力接続２２２からクライアント・ポート１３０Ａへの電力供給は、スイッチ２２０によって制御することができる。スイッチ２２０がオンにされるとき、電力は、クライアント・ポートに流れることができる。この電力は、クライアント・ポート１３０Ａによって、コネクタ１１２およびケーブル１２０を通して電源２２２により供給される電力ピン２２６に接続している充電回路２６０を使用しているバッテリ２５０を充電するために使用することができ、スイッチがオフにされるときに、電力は、クライアント・ポート１３０Ａへ流れることができない。スイッチ２２０は、通信制御ロジック２３０により制御することができる。通信制御ロジック入力２１２および２１６の状態に依存して、ロジック２３０は、スイッチ２２０に、オンまたはオフにさせることができる。たとえば、いくつかの例示的実施形態において、ロジック入力２１２と２１６とがオープンである（すなわち、クライアント・ポート１３０Ａにおいて、ロジック２４０のロジック入力２１４と２１８とへのロジック入力２１２と２１６との接続がなされていない）とき、前記スイッチ２２０に、オフにさせることができる。それによって、コネクタ１１２とクライアント・ポート１３０Ａを電力源２２２から遮断する。いくつかの実施形態において、ホスト・ポート１１０Ａやクライアント・ポート１３０Ａは、たとえばロジック入力２１６  または２１８など、１つのロジック入力だけを含むことができる。
【００２０】
ロジック入力２１２、２１４、２１６、２１８は、通信制御（ＣＣ）ピンと呼ぶことができ、それは、電力源２２２からピン２２４に供給されることができる電力を制御するように構成することができる。１つ以上の制御ピンの状態は、少なくとも、ロジック回路２３０またはロジック回路２４０への入力における電流レベルまたは電圧レベルと呼ぶことができる。制御ピンは、コネクタ１１２の中のピンやケーブル１２０の中のワイヤーに対応することができる。
【００２１】
いくつかの例示的実施形態において、ロジック入力２１４および２１８へのロジック入力２１２および２１６の接続の４つの可能な状態が存在し得る。いくつかの構成において、図２の例で示される構成など、ロジック２３０のロジック入力２１６は、コネクタ１１２およびケーブル１２０を通して、ロジック入力２１４または２１２になされる接続なしでロジック２４０のロジック入力２１８に接続することができる。いくつかの構成において、ロジック２３０のロジック入力２１６は、コネクタ１１２およびケーブル１２０を通して、ロジック入力２１２および２１８への接続なしでロジック２４０のロジック入力２１４に接続することができる。いくつかの構成において、ロジック２３０のロジック入力２１２は、コネクタ１１２およびケーブル１２０を通して、ロジック入力２１６と２１８への接続なしでロジック２４０のロジック入力２１４に接続することができる。いくつかの構成において、ロジック２３０のロジック入力２１２は、コネクタ１１２およびケーブル１２０を通して、ロジック入力２１６と２１４への接続なしでロジック２４０のロジック入力２１８に接続することができる。４つの上記した状態のうちどれが選択されるかは、ケーブル１２０、および、ホスト・ポート１１０Ａおよびクライアント・ポート１３０Ａにおけるケーブル１２０のコネクタ１１２の方向に依存することができる。たとえば、コネクタ１１２が対称形であるとき（つまり、ケーブル１２０のコネクタ１１２が、各々２つの可能性な方向でホスト・ポート１１０Ａとクライアント・ポート１３０Ａに係合されることができるとき）、ケーブル１２０のコネクタ方向の４つの可能な組み合わせが、可能でありえるユニバーサル・シリアル・バス（ＵＳＢ）のいくつかの実施形態は、上記したように、対称形のコネクタを利用することができる。
【００２２】
いくつかの例示的実施形態において、図２の例のように、ホスト・ポート・ロジック２３０は、上記した４つの構成のいずれも存在しないならば、ロジック２３０は、スイッチ２２０を介してピン２２４において電力２２２をコネクタ１１２から遮断するように、構成することができる。たとえば、２１２、２１６のいずれも、２１４、２１８のいずれにも接続していないならば、ロジック２３０は、スイッチ２２０を介して、ピン２２４へ電力を遮断する。ケーブルがホスト・ポート１１０Ａおよびクライアント・ポート１３０Ａを相互接続しないときに、または、熱感知デバイスが、ホスト・ポート１１０Ａとクライアント・ポート１３０Ａとの間の接続を断つときに、これは起こり得る。熱感知デバイスは、図２において示されるように、あるいは、別の構成において、１つ以上の通信制御ピンと直列に接続することができる。この接続は、熱感知コネクタ１１２、および／または、ロジック入力２１２および２１６に、２１４  および２１８から遮断されるようにさせる熱感知ケーブル１２０により遮断される。別の構成の例は、温度が所定の閾値を越えるとき、１つ以上の制御ピンを所定の電圧に接続するように構成されている熱感知デバイスを含む。ロジック２３０は、次に、スイッチ２２０を介して、ピン２２４から電力を遮断することができる。スイッチ２２０により電力を遮断すると、ホスト・ポート１１０Ａのピン２２４をアクティブでなくする。すなわち、電力は、ホスト・ポート１１０Ａによってピン２２４に供給されない。スイッチ２２０により電力を遮断すると、ホスト・ポート１３０Ａのピン２２６をアクティブでなくする。すなわち、電力は、もはや、クライアント・ポート１３０Ａのピン２２６に供給されない。ロジック入力は、ごくわずかな電流しか要求しないので、温度感知コンポーネントは、小さくでき、それらをコネクタに一体化することを容易にし、そして、温度感知コンポーネントをホスト・ポート１１０Ａの電力供給ピン２２４とクライアント・ポート１３０Ａのピン２２６との間の電力搬送接続に一体化した場合よりも安価にすることができる。
【００２３】
図２は、２１０において、図１に関して先に述べたような保護要素を示す。いくつかの実施形態において、前記保護要素は、熱感知する。たとえば、２１０は、温度スイッチであり得る。上記のように、温度スイッチは、ケーブル１２０の端の一方または両方においてと並んで、各々の装置１１０Ａおよび１３０Ａにおいて、コネクタの一方または両方に存在することができる。ケーブル１２０自体は、ケーブルに沿って埋め込まれた温度スイッチ（または他のデバイス）を有することができる。
【００２４】
図３は、いくつかの例示的実施形態にしたがって、熱感知ケーブル１２０やコネクタ１１２を利用することができるシステムの例を表す。システム３００は、ホスト・ポート１１０Ａとして構成された第１の装置、および、クライアント・ポート１３０Ａとして構成された第２の装置を含むことができる。ホスト・ポート１１０Ａは、図２に示されるケーブル１２０のようなケーブルを介して、クライアント・ポート１３０Ａに接続することができる。電力が、ケーブル１２０を通して、ホスト・ポート１１０Ａからクライアント・ポート１３０Ａに供給されることができる。
【００２５】
ケーブル１２０の方向に依存して、ロジック入力２１２および２１６から、２１４および２１８への間の接続の４つの状態のうちの１つを、選択することができる。たとえば、ケーブル１２０は、図２に示すように、ホスト・ポート１１０Ａからクライアント・ポート１３０Ａに取り付けることができる。図２では、ロジック入力２１６は、ケーブル１２０を通して、ロジック入力２１８に接続しており、ロジック入力２１２および２１４は、接続していない。ケーブル１２０のこの構成で、ホスト・ポート１１０Ａのロジック入力２１２は、レジスタ３０１によって、ソース２２２における電圧に引っ張ることができ、クライアント・ポート１３０Ａのロジック入力２１４は、レジスタ３０２を通してグラウンドにプル・ダウンすることができる（実質的に、０ボルト、または、ある他の値も）。ロジック入力２１２および２１４は、ケーブル１２０を通して、接続することができ、両方は、３０１および３０２のレジスタ分割器によりセットされるソース２２２の電圧とグラウンドとの間の電圧を有することができる。ロジック入力２１２、２１４、２１６、および、２１８の電圧のために、ホスト・ポート１１０Ａおよびクライアント・ポート１３０Ａは、ケーブル１２０の端部における両方のコネクタの方向を決定することができる。
【００２６】
図４は、いくつかの例示的実施形態にしたがって、装置やケーブルを熱の損傷から保護するためのプロセス４００を表す。４１０において、コネクタまたはケーブルの温度が閾値を超えているかどうかを判断することができる。４２０において、温度が閾値を超えているならば、制御入力を変化させることができ、さもなければ、制御入力を維持することができる。４３０において、その変化した制御入力に基づいて、電力源をコネクタまたはケーブルの損傷を防ぐために、および、ユーザの怪我を防ぐために、切断することができる。
【００２７】
４１０において、いくつかの例示的実施形態にしたがって、コネクタまたはケーブルの温度が閾値を超えているかどうかを判断することができる。いくつかの例示的実施形態において、温度が閾値を超えているかどうかの判断は、サーミスタまたは熱電対、または、その他によって、なされる温度測定に基づいて、実行することができる。いくつかの例示的実施形態において、閾値は、コネクタやケーブルにおいて使用される材料の既知の融解温度に基づいて、選択することができ、閾値は、また、それ以上であるとユーザが火傷をするような、ユーザが触っても安全な温度に基づいたものであることができる。たとえば、携帯電話などの電子デバイスの充電コネクタの温度である。いくつかの例示的実施形態において、温度が閾値を超えるかどうかは、上記したように、温度ヒューズ、自動あるいは手動回復機能を有するバイメタル熱回路ブレーカ、ＮＴＣ（ｎｅｇａｔｉｖｅ  ｔｅｍｐｅｒａｔｕｒｅ  ｃｏｅｆｆｉｃｉｅｎｔ）温度感知レジスタ、および、ＰＴＣ（ｐｏｓｉｔｉｖｅ  ｔｅｍｐｅｒａｔｕｒｅ  ｃｏｅｆｆｉｃｉｅｎｔ）再設定可能ヒューズの状態に基づいて判断することができる。バイメタル・デバイスおよび温度ヒューズに対して、温度がデバイスの設計によって設定された閾値を超えるとき、このデバイスは、オフ状態にあるなど、１つの状態であることができる。閾値温度の下にあるとき、このデバイスは、オン状態など、別の状態にあることができる。熱感知コネクタの温度が閾値を超えているか否かを、オンまたはオフである温度ヒューズ／バイメタル・デバイスの状態によって判断することができる。熱感知レジスタに対して、コネクタの温度が閾値を超えているか否かは、熱感知レジスタの抵抗値に基づいてものであることができる。
【００２８】
いくつかの例示的実施形態において、温度が閾値を超えているか否かの判断に基づいて、４２０において、制御入力は変化させることができる。たとえば、図２における熱感知コネクタ１１２の温度が、所定の閾値を上回るまで上がるならば熱感知スイッチ２１０は、オン（または閉）から、オフ（または開）へスイッチすることができる。図２および図３の例において、ホスト・ポート１１０Ａの２１６からクライアント・ポート１３０Ａの２１８までのパスに沿った温度スイッチの１つの開口部は、２１６における電圧を、レジスタ３０１および３０２のレジスタ分割器により決定された電圧からソース２２２のより高い電圧へ変化させることができる。クライアント・ポート１３０Ａの２１８における電圧は、レジスタ分割器により決定された電圧からグラウンドのより低い電圧に変化することができる。
【００２９】
４３０において、その変化した制御入力に基づいて、電力源は、いくつかの例示的実施形態にしたがって、コネクタまたはケーブルの損傷を防ぐために、および／または、ユーザの怪我を防ぐために、切断することができる。たとえば、図２および図３に関して先に述べたように、制御入力２１６や２１８における変化は、電源２２２を、ロジック２３０およびスイッチ２２０を介して、クライアント・ポート１３０Ａにおけるピン２２６から切断させることができる。
【００３０】
図２および図３の例は、熱感知コネクタ１１２やケーブル１２０に依存する電圧において、ある特定の変化を有するけれども、他の電圧変化も、また、可能である。さらに、任意数のロジック入力（たとえば、２１２、２１４、２１６、２１８、など）をまた、使用することができる。
【００３１】
図５は、いくつかの例示的実施形態にしたがって、第１の装置１１０にケーブル１２０を通して接続した電池駆動の第２のデバイスを含むシステム５００の例を表す。第５図は、１３０において、携帯電話、多機能電話、その他のユーザ機器備える電池駆動デバイス１３０を表す。
【００３２】
いくつかの例示的実施形態において、第２の装置１３０は、バッテリ（またはバッテリ・パック）２５０に結合した熱感知コネクタ１１２を含むことができる。いくつかの例示的実施形態において、図２の充電回路２６０などの充電回路は、バッテリ２５０とコネクタ１１２との間に存在することができる。いくつかの例示的実施形態において、第２の装置１３０は、ユーザ機器、モバイル局、または、他のセルラ・デバイスを含むことができる。いくつかの例示的実施形態において、第１の装置１１０は、ＡＣ・ＤＣ宅内配線アダプタなどの充電器であることができる。第１の装置１１０やケーブル１２０は、また、熱感知コネクタを含むことができる。いくつかの例示的実施形態において、第２の装置は、ホスト・デバイスとして動作し第１の装置１１０と同様の機能を備えるように構成することができる。
【００３３】
いくつかの例示的実施形態において、第１の装置１１０または第２の装置は、温度以外の少なくとも１つの基準に基づいて、少なくとも１つのスイッチ２１０を制御するように構成することができる。たとえば、装置１１０や１３０は、その装置における、起こりうる故障または増加したリスクを示す１つ以上の基準をモニターことができる。たとえば、保護要素２１０は、湿度、力のレベル、処理負荷、加速度の所定レベルを超えるときに、および／または、その装置における所定の機能の活動を検出したときに、少なくとも１つの制御ピンの状態を変化させるように構成することができる。
【００３４】
装置１３０は、送信器１４および受信器１６と通信を行う少なくとも１つのアンテナ１２を含むことができる。代替的に、送信および受信アンテナは、別々でありえる。
【００３５】
装置１３０は、また、送信器と受信器とのやりとりの信号をそれぞれ提供し、装置の機能を制御するように構成されたプロセッサ２０を含むことができる。プロセッサ２０は、送信機および受信器に電気導線を介して制御信号伝達を生じることによって、送信器および受信器の機能を制御するように構成することができる。同様に、プロセッサ２０プロセッサ２０を、ディスプレイまたはメモリなどの他の要素に接続する電気導線を介して制御信号伝達を生じることによって、装置３の他の要素を制御するように構成することができる。プロセッサ２０は、たとえば、回路、少なくとも１つの処理コア、デジタル・シグナル・プロセッサを伴う１つ以上のマイクロプロセッサ、デジタル・シグナル・プロセッサがない１つ以上のマイクロプロセッサ、１つ以上のコプロセッサ、１つ以上のマルチコア・プロセッサ、１つ以上のコントローラ、処理回路、１つ以上のコンピュータ、（たとえば、特定用途向け集積回路（ＡＳＩＣ）、フィールド・プログラマブル・ゲート・アレイ（ＦＰＧＡ）、その他集積回路を含む種々の他の処理要素、または、それらのいくつかの組合せを含む種々の方法で具体化することができる。装置１３０は、位置調整やナビゲーション情報などの位置情報を得るために位置プロセッサやインタフェースを含むことができる。したがって、図１の中でシングルプロセッサとして、図示されるが、いくつかの例示的実施形態において、プロセッサ２０は、複数のプロセッサまたは処理コアを備えることができる。
【００３６】
プロセッサ２０によって送受信される信号は、適用可能なセルラ・システムのエア・インターフェース規格、および／または、制限されるものではないが、電気電子学会（ＩＥＥＥ）８０２．１１、８０２．１６、その他の、Ｗｉ−Ｆｉ、無線ローカル・アクセス・ネットワーク（ＷＬＡＮ）技術を含む、任意数の異なる有線または無線ネットワーク技術にしたがって信号伝達情報を含むことができる。これに加えて、これら信号は、スピーチ・データ、ユーザ生成データ、ユーザ要求データ、および／または、その他を含むことができる。
【００３７】
装置１３０は、１つ以上のエア・インターフェース標準、通信プロトコル、変調形式、アクセスタイプ、および／または、その他で、動作する能力がある。たとえば、装置１３０および／またはその中のセルラ・モデムは、種々の第１世代（１Ｇ）通信プロトコル、第２世代（２Ｇ）、または、２．５Ｇ）通信プロトコル、第３世代（３Ｇ）通信プロトコル、第４世代（４Ｇ）通信プロトコル、インターネット・プロトコル・マルチメディア・サブシステム（ＩＭＳ）通信プロトコル（たとえば、セッション確立プロトコル（ＳＩＰ））やその他にしたがって、動作する能力がある。たとえば、装置１３０は、２Ｇ無線通信プロトコルＩＳ−１３６時分割多元接続（ＴＤＭＡ：Ｔｉｍｅ  Ｄｉｖｉｓｉｏｎ  Ｍｕｌｔｉｐｌｅ  Ａｃｃｅｓｓ）、ＧＳＭ（登録商標）、  ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）ＩＳ−９５、ＣＤＭＡ（Ｃｏｄｅ  Ｄｉｖｉｓｉｏｎ  Ｍｕｌｔｉｐｌｅ  Ａｃｃｅｓｓ）、および／または、その他にしたがって、動作する能力がある。これに加えて、たとえば、装置１３０は、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  ＧＳＭ（登録商標）  Ｅｎｖｉｒｏｎｍｅｎｔ）、および／または、その他の２．５Ｇ無線通信プロトコル汎用パケット無線システムにしたがって、動作する能力がある。更に、たとえば、装置１３０は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００（Ｃｏｄｅ  Ｄｉｖｉｓｉｏｎ  Ｍｕｌｔｉｐｌｅ  Ａｃｃｅｓｓ  ２０００）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）および／または、その他の、３Ｇ無線通信プロトコルにしたがって、動作する能力がある。装置１３０は、さらに、追加的に、ＬＴＥ（Ｌｏｎｇ  Ｔｅｒｍ  Ｅｖｏｌｕｔｉｏｎ）、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）および／または、その他の、３．９Ｇの無線通信プロトコルにしたがって、動作することができることができる。加えて、たとえば、装置１３０は、ＬＴＥアドバーンストや、また、後に、開発されることができる同様の無線通信プロトコルにしたがうその他の、４Ｇの無線通信プロトコルにしたがって、動作する能力がある。
【００３８】
プロセッサ２０は、オーディオ／ビデオ、および、装置１３０のロジック機能をインプリメントするための回路を含むことができることが理解される。たとえば、プロセッサ２０は、デジタルシグナルプロセッサ・デバイス、マイクロプロセッサ・デバイス、アナログ・デジタル変換器、Ｄ−Ａ変換器、および／または、その他を備えることができる。装置１３０の制御と信号処理機能は、それぞれの能力によってこれらのデバイスの間で割り当てることができる。プロセッサ２０は、内部の音声符合化装置（ＶＣ）２０ａ、内蔵データ・モデム（ＤＭ）２０ｂ、および／または、その他をさらに備えることができる。更に、プロセッサ２０は、１つ以上のソフトウェア・プログラムを操作する機能を含むことができる。それは、メモリに格納することができる。一般に、プロセッサ２０および格納されたソフトウェア命令は、装置１３０に、アクションを実行させるように構成することができる。たとえば、プロセッサ２０は、ウェブ・ブラウザなどの接続プログラムを操作することができる。接続プログラムは、装置１３０が、無線アプリケーション・プロトコル、ＷＡＰ、ハイパーテキスト伝送プロトコル、ＨＴＴＰ、および／または、その他の、プロトコルにしたがい、位置ベース・コンテンツのようなウェブ・コンテンツを送受信するのを可能にする。
【００３９】
装置１３０は、また、たとえば、イヤホンまたはスピーカー２４、リンガ２２、マイクロフォン２６、ディスプレイ２８、ユーザ入力インタフェース、および／または、その他のユーザ・インタフェースを備えることができる。それは、動作上、プロセッサ２０に結合することができる。ディスプレイ２８は、上記したように、タッチ・センシティブ・ディスプレイを含むことができる、ここで、ユーザは、選択をし、値を入れ、および／または、その他をするために、タッチし、および／または、ジェスチャすることができる。プロセッサ２０は、また、スピーカー２４、ベル２２、マイクロフォン２６、ディスプレイ２８、および／または、その他の、ユーザ・インタフェースの１つ以上の要素の少なくともいくつかの機能を制御するように構成されるユーザ・インタフェース回路を含むこともできる。プロセッサ２０やプロセッサ２０を備えているユーザ・インタフェース回路は、たとえば、揮発性メモリ４０、不揮発性メモリ４２、および／または、その他プロセッサ２０にアクセスできるメモリの上で格納されたソフトウェアやファームウェアなどコンピュータ・プログラム命令を通してユーザ・インタフェースの１つ以上の要素の１つ以上の機能を制御するように構成することができる。装置１３０は、たとえば、検出可能出力として機械的振動を提供する回路などモバイル端末に関連した種々の回路に電力供給するためにバッテリを含むことができる。ユーザ入力インタフェースは、キーパッド３０（それは、ディスプレイ２８の上で示される仮想キーボード、または、外部的に結合するキーボードでありえる。）、および／または、その他の入力デバイスの、装置１３０がデータを受信することを可能にするデバイスを備えることができる。
【００４０】
さらに、装置１３０は、短距離無線周波数（ＲＦ）トランシーバおよび／または問合せ器６４を含むことができ、それで、ＲＦ技術にしたがって、データを、電子デバイスと共有し、および／または、電子デバイスから得ることができる。装置１３０は、赤外線（ＩＲ）トランシーバ６６、ブルートゥース（登録商標）無線技術を用いて動作するブルートゥース（登録商標）（ＢＴ）トランシーバ６８、無線ユニバーサル・シリアル（ＵＳＢ）トランシーバ７０、および／または、その他の他の短距離トランシーバを含むことができる。ブルートゥース（登録商標）・トランシーバ６８は、たとえば、Ｗｉｂｒｅｅ、ラジオ標準など低消費電力または超低電力ブルートゥース（登録商標）技術にしたがって、動作することができることができる。この点について、その装置１３０、および、特に、短距離トランシーバは、１０メートル内などその装置の近傍内の電子デバイスにデータを送信したり、それからデータを受信したりすることができる。ＷｉＦｉまたは無線ローカル・エリア・ネットワーク・モデムを含む装置１３０は、また、６ＬｏＷｐａｎ、Ｗｉ−Ｆｉ、Ｗｉ−Ｆｉ低電力、ＩＥＥＥ  ８０２．１１技術、ＩＥＥＥ  ８０２．１５技術、ＩＥＥＥ  ８０２．１６技術や、その他のＷＬＡＮ技術を含む種々の無線ネットワーク技術にしたがい、電子デバイスからデータを送信したり、それから受信したりすることができる。
【００４１】
装置１３０は、加入者アイデンティティ・モジュール（ＳＩＭ）３８、取り外し可能ユーザ識別モジュール（Ｒ−ＵＩＭ）や、その他のメモリを備えることができる。それは、モバイル加入者に関係がある情報要素を格納することができる。ＳＩＭに加えて、装置１３０は、他の取り外し可能な、および／または、固定メモリを含むことができる。装置１３０は、揮発性メモリ４０や不揮発性メモリ４２を含むことができる。たとえば、揮発性メモリ４０は、ダイナミックおよび・またはスタティックＲＡＭを含むランダム・アクセス・メモリ（ＲＡＭ）、オンチップまたはチップを離れたキャッシュ・メモリ、および／または、その他を含むことができる。埋め込み可能や取り外し可能な不揮発性メモリ４２は、たとえば、読み出し専用メモリ、フラッシュ・メモリ、磁気記憶デバイスたとえば、ハード・ディスク、フロッピー（登録商標）・ディスク・ドライブ、磁気テープ、光学ディスク・ドライブおよび／または媒体、不揮発性ＲＡＭ（ＮＶＲＡＭ）および／または、その他を含むことができる。揮発性メモリ４０のように、不揮発性メモリ４２は、データの一時的なストレージのためのキャッシュ領域を含むことができる。揮発性や不揮発性メモリの少なくとも一部は、プロセッサ２０の中に埋め込むことができる。これらメモリは、１つ以上のソフトウェア・プログラム、命令、情報のピース、データ、その他を格納することができる。それは、その装置が、ユーザ装置やモバイル端末の機能を実行するのに使用することができる。これらのメモリは、装置１３０をユニークに識別する能力がある国際的な移動形機器識別（ＩＭＥＩ）コードなどの識別子を備えることができる。これらの機能は、図４のプロセス・フローその他を含むここに開示されるバッテリ保護に関して、ここに開示される動作の１つ以上を含むことができる。これらメモリは、装置１３０をユニークに識別する能力があるＩＭＥＩ（ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの識別子を備えることができる。例示的実施形態において、プロセッサ２０は、メモリ４０および／または４２に格納されたコンピュータ・コードを使って、図４その他に示されるプロセスに関して開示された動作を提供するように構成することができる。
【００４２】
ここに開示された実施形態のいくつかは、ソフトウェア、ハードウェア、アプリケーション・ロジック、または、ソフトウェア、ハードウェア、および、アプリケーション・ロジックの組合せでインプリメントすることができ、このソフトウェア、アプリケーション・ロジック、および／または、ハードウェアは、メモリ４０、制御装置２０、または、ここに開示される電子コンポーネントなどに存在することができる。いくつかの例示的実施形態において、アプリケーション・ロジック、ソフトウェア、または、命令セットは、種々の従来のコンピュータ読取り可能媒体の、いずれか１つの上に維持される。本願文書のコンテキストにおいて、「コンピュータ読取り可能メディア」は、図５で表した例で、命令実行システム、装置、または、コンピュータまたはデータプロセッサ回路などの、デバイス、により、または、関連して、使用するためのその命令を含み、格納し、通信し、伝え、伝送し、あるいは、搬送することができるいかなる固定メディアでもあり得る。コンピュータ読取り可能メディアは、コンピュータなどの命令実行システム、装置あるいはデバイスによって、または、関連して使用するために命令を格納または含むことができるいかなるメディアでもあることができる固定コンピュータ読取り可能記憶媒体を備えることができる。更にまた、ここに開示された実施形態のいくつかは、ここに開示されるような方法を実行するように構成されたコンピュータ・プログラムを含む（図４のプロセスやその他を参照）。
【００４３】
ここに記述される発明は、システム、装置、方法、および／または、望ましい構成の物品において、具体化することができる。たとえば、システム、装置、方法、および／または、ここに記述される物品は、トランジスタ、インダクタ、キャパシタ、レジスタ、その他の電子コンポーネント、プログラム・コードを実行するプロセッサ、特定用途向け集積回路（ＡＳＩＣ）、ディジタル信号処理装置（ＤＳＰ）、埋込み型プロセッサ、フィールド・プログラマブル・ゲート・アレイ（ＦＰＧＡ）、および／または、それらの組合せのうちの１つ以上を用いてインプリメントすることができる。これらの種々の例示的実施形態は、実行可能であるか、および／または、少なくとも１つのプログラム可能プロセッサを含むプログラム可能システム上で解釈可能である１つ以上のコンピュータ・プログラムにおけるインプリメンテーションを含むことができる。このプロセッサは、専用であっても、汎用であってもよく、ストレージ・システム、少なくとも１つの入力デバイス、および、少なくとも１つの出力デバイスからデータおよび命令を受信し、また、それらに、データおよび命令を送信するように結合される。これらのコンピュータ・プログラム（また、プログラム、ソフトウェア、ソフトウェア・アプリケーション、アプリケーション、コンポーネント、プログラム・コードまたは、コードとして知られている）は、プログラム可能プロセッサのために機械語命令を含み、高水準手続的および／またはオブジェクト指向プログラミング言語において、および／または、アセンブリ／マシン言語においてインプリメントすることができる。ここに使われるように、「機械読取り可能メディア」という用語は、いかなるコンピュータ・プログラム・プロダクト、コンピュータ読取り可能媒体、コンピュータ読取り可能なストレージ・メディア、プログラム可能プロセッサに機械語命令やデータを提供するのに用いられる装置やデバイス（たとえば、磁気ディスク、光ディスク、メモリ、プログラム可能論理デバイス（ＰＬＤ））をも指し、また、機械語命令を受信する機械読み取り可能メディアを含む。同様に、プロセッサ、および、そのプロセッサに結合されるメモリを含むことができるシステムもここに記述される。このメモリは、ここに記述される動作の１つ以上を、プロセッサに実行させる１つ以上のプログラムを含むことができる。
【００４４】
ここに記述される例のいくつかが、ＬＴＥ、ＷｉＦｉ、その他の特定のテクノロジーの使用に言及するけれども、ここに記述される本願発明は、それらの技術に制限されるものではなく、また、同様に他のラジオ技術でも使用することができる。
【００４５】
範囲、解釈、または、下記の請求項のアプリケーションをいかなる形でも制限することなく、ここに開示される例示的実施形態の１つ以上の技術的効果は、電力供給をできないようにするために、コネクタおよびケーブルにおける熱感知コンポーネントを用いて過熱から電子デバイスを保護することである。
【００４６】
いくつかのバリエーションが、上で詳述されたけれども、他の修正、または、追加が可能である。特に、更なる特徴やバリエーションを、ここに述べられるものに加えて、提供することができる。さらに、上述の例示的実施形態は、開示された特徴の種々の例示的組合せおよびサブ組合せ、および／または、上で開示された、いくつかの更なる特徴の組合せおよびサブ組合せを指すことができる。これに加えて、添付の図面において表された、および／または、ここに記述されるロジック・フローは、望ましい結果を達成するために、示された特定の順序を要求しない。他の例示的実施形態は、以下の特許請求の範囲の内であり得る。
【図１】
0006474821.tif 000002
【図２】
0006474821.tif 000003
【図３】
0006474821.tif 000004
【図４】
0006474821.tif 000005
【図５】
0006474821.tif 000006